(57)【要約】【課題】ノーマルオープンタイプのシャッタを使用しても良好な画像を得ることのできるデジタルカメラを提供する。【解決手段】撮影光学系からの光束を撮影可能なＣＣＤ２２１と、撮影光学系からの光束を反射可能な挿入状態と、撮影光学系からの光束から退避した退避状態とに移動可能な可動反射ミラー２０１と、撮影光学系とＣＣＤ２２１の間に配置され、チャージ状態では開放となっているシャッタ２０３を具備し、ＣＣＤ２２１から画像データの読み出し中は、シャッタ２０３のチャージ動作を禁止する。【選択図】  図６
2008042406.tif 000002
【特許請求の範囲】
【請求項１】
撮影光学系からの光束を撮影可能な撮像手段と、
上記撮影光学系からの光束を反射可能な挿入状態と、撮影光学系からの光束から退避した退避状態とに移動可能な反射部材と、
上記撮影光学系と撮像手段の間に配置され、チャージ状態では開放となっているシャッタユニットと、
を具備し、
上記撮像手段から画像データの読み出し中は、シャッタユニットのチャージ動作を禁止することを特徴とするデジタルカメラ。
【請求項２】
上記シャッタユニットは、フォーカルプレーンシャッタであることを特徴とする請求項２に記載のデジタルカメラ。
【請求項３】
撮影光学系からの光束を撮影可能な撮像手段と、
上記撮影光学系からの光束を反射可能な挿入状態と、撮影光学系からの光束から退避した退避状態とに移動可能な反射部材と、
上記撮影光学系と上記撮像手段の間に配置され、チャージ状態では開放状態となっているシャッタユニットと、
上記反射部材と上記シャッタユニットを駆動可能なカム部材と、
を具備し、
露光後に使用する第１のカム区間では、反射部材の挿入動作を行い、露光後に使用する第２のカム区間では、シャッタユニットのチャージ動作を行い、第１のカム区間から、第２のカム区間への移行は、上記撮像手段の画像データの読み出し完了後にのみ許可することを特徴としたデジタルカメラ。
【請求項４】
上記シャッタユニットは、チャージ状態では開放状態となり、露光動作完了状態では遮光状態となることを特徴とする請求項４に記載のデジタルカメラ。
【請求項５】
撮像素子と、
被写体光束を反射する位置、および上記被写体光束中から外れた退避位置に移動可能な反射ミラーと、
この反射ミラーと上記撮像素子との間に配置され、チャージ完了状態においてはシャッタ幕が開放状態であるシャッタ機構と、
を具備し、
上記撮像素子による撮像動作に先立って上記反射ミラーを上記退避位置に移動させ、撮像動作の終了後に上記反射ミラーを上記反射位置に移動させ、上記撮像動作に続く上記撮像素子からの像信号の読出動作の終了後に上記シャッタ機構のチャージ動作を実行するようにしたことを特徴とするデジタルカメラ。
【請求項６】
被写体光束を受光し、被写体像信号を出力する撮像素子と、
撮影レンズと上記撮像素子との間に配置され、チャージ完了状態においてはシャッタ幕が開放状態であるシャッタ機構と、
上記撮像素子から出力される上記被写体像信号に基づいて被写体像を動画像としてライブビュー表示するモニタ手段と、
上記撮像素子による撮像動作に先立って上記シャッタ機構をリセットし、上記撮像動作の終了後であって、かつ上記撮像素子からの像信号の読出動作の終了後に上記シャッタ機構のチャージ動作を実行する制御手段と、
を具備したことを特徴とするデジタルカメラ。
【請求項７】
被写体光束を反射する位置、および上記被写体光束中から外れた退避位置に移動可能な反射ミラーを具備し、上記制御手段は、上記撮像動作に先立って上記反射ミラーを上記退避位置に移動させ、上記撮像動作の終了後であって上記シャッタ機構のチャージ動作前に上記反射ミラーを上記反射する位置に移動させることを特徴とする請求項６に記載のデジタルカメラ。
【請求項８】
上記反射ミラーは、ハーフミラーまたは全反射ミラーであることを特徴とする請求項７に記載のデジタルカメラ。
【請求項９】
撮影光学系からの光束を受光し、被写体像信号を出力する撮像手段と、
上記撮影光学系からの光束を反射可能な挿入状態と、撮影光学系からの光束から退避した退避状態とに移動可能な反射部材と、
上記撮影光学系と上記撮像手段の間に配置され、チャージ状態では開放状態となっているシャッタユニットと、
上記反射部材と上記シャッタユニットを駆動可能な駆動部材と、
を具備し、
上記撮像手段による撮像動作後の第１区間では、上記反射部材を上記反射可能な挿入状態に移動を行い、上記第１区間に引き続く第２区間では、上記シャッタユニットのチャージ動作を行い、第１区間から、第２区間への移行は、上記被写体像信号の読み出し完了後にのみ許可することを特徴としたデジタルカメラ。
【請求項１０】
上記駆動部材は上記反射部材に連動する第１のカムと、上記シャッタユニットに連動する第２のカムを有し、上記第１のカムと上記第２のカムはそれぞれ第１区間および第２区間に対応するカム面を有していることを特徴とする請求項９に記載のデジタルカメラ。
【発明の詳細な説明】
【技術分野】
【０００１】
本発明は、ライブビュー表示機能を有するカメラに関し、詳しくは、撮像素子で繰り返し取得した画像を表示装置に動画像として表示する所謂ライブビュー表示機能（スルー画表示機能、電子ファインダ機能とも言う）を有するカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるライブビュー表示機能を有したものが多くなってきている。
【０００３】
このようなライブビュー表示機能として、例えば、可動ミラーを撮影光路から退避させるとともにフォーカルプレーンシャッタを全開状態にして被写体像を撮像素子に導き、それによって得られた被写体像を連続的に液晶モニタに表示するようにしたライブビュー可能なデジタル一眼レフカメラが提案されている（特許文献１）。この場合、シャッタタイムラグを短縮する観点から、特許文献２に開示されているような、シャッタチャージ状態で開放されている、いわゆるノーマルオープンタイプのシャッタを採用することが考えられる。
【特許文献１】特開２００２−３６９０４２号公報
【特許文献２】特開２００４−６１８６５号公報
【発明の開示】
【発明が解決しようとする課題】
【０００４】
しかしながら、ノーマルオープンタイプのシャッタを採用した場合には、シャッタが開放された状態で、被写体画像信号を読み出すことになり、その際、画像信号にノイズがのってしまうという不具合が生ずるおそれがある。
【０００５】
本発明は、このような事情を鑑みてなされたものであり、ノーマルオープンタイプのシャッタを使用しても良好な画像を得ることのできるデジタルカメラを提供することを目的とする。
【課題を解決するための手段】
【０００６】
上記目的を達成するため第１の発明に係わるデジタルカメラは、撮影光学系からの光束を撮影可能な撮像手段と、上記撮影光学系からの光束を反射可能な挿入状態と、撮影光学系からの光束から退避した退避状態とに移動可能な反射部材と、上記撮影光学系と撮像手段の間に配置され、チャージ状態では開放となっているシャッタユニットを具備し、上記撮像手段から画像データの読み出し中は、シャッタユニットのチャージ動作を禁止する。
第２の発明に係わるデジタルカメラは、上記第１の発明において、上記シャッタユニットは、フォーカルプレーンシャッタである。
【０００７】
上記目的を達成するため、第３の発明に係わるデジタルカメラは、撮影光学系からの光束を撮影可能な撮像手段と、上記撮影光学系からの光束を反射可能な挿入状態と、撮影光学系からの光束から退避した退避状態とに移動可能な反射部材と、上記撮影光学系と上記撮像手段の間に配置され、チャージ状態では開放状態となっているシャッタユニットと、  上記反射部材と上記シャッタユニットを駆動可能なカム部材を具備し、露光後に使用する第１のカム区間では、反射部材の挿入動作を行い、露光後に使用する第２のカム区間では、シャッタユニットのチャージ動作を行い、第１のカム区間から、第２のカム区間への移行は、上記撮像手段の画像データの読み出し完了後にのみ許可する。
第４の発明に係わるデジタルカメラは、上記第３の発明において、上記シャッタユニットは、チャージ状態では開放状態となり、露光動作完了状態では遮光状態となる。
【０００８】
上記目的を達成するため、第５の発明に係わるデジタルカメラは、撮像素子と、被写体光束を反射する位置、および上記被写体光束中から外れた退避位置に移動可能な反射ミラーと、この反射ミラーと上記撮像素子との間に配置され、チャージ完了状態においてはシャッタ幕が開放状態であるシャッタ機構を具備し、上記撮像素子による撮像動作に先立って上記反射ミラーを上記退避位置に移動させ、撮像動作の終了後に上記反射ミラーを上記反射位置に移動させ、上記撮像動作に続く上記撮像素子からの像信号の読出動作の終了後に上記シャッタ機構のチャージ動作を実行する。
【０００９】
上記目的を達成するため、第６の発明に係わるデジタルカメラは、被写体光束を受光し、被写体像信号を出力する撮像素子と、撮影レンズと上記撮像素子との間に配置され、チャージ完了状態においてはシャッタ幕が開放状態であるシャッタ機構と、上記撮像素子から出力される上記被写体像信号に基づいて被写体像を動画像としてライブビュー表示するモニタ手段と、上記撮像素子による撮像動作に先立って上記シャッタ機構をリセットし、上記撮像動作の終了後であって、かつ上記撮像素子からの像信号の読出動作の終了後に上記シャッタ機構のチャージ動作を実行する制御手段を具備する。
【００１０】
第７の発明に係わるデジタルカメラは、上記第６の発明において、被写体光束を反射する位置、および上記被写体光束中から外れた退避位置に移動可能な反射ミラーを具備し、上記制御手段は、上記撮像動作に先立って上記反射ミラーを上記退避位置に移動させ、上記撮像動作の終了後であって上記シャッタ機構のチャージ動作前に上記反射ミラーを上記反射する位置に移動させる。
また、第８の発明に係わるデジタルカメラは、上記第６の発明において、上記反射ミラーは、ハーフミラーまたは全反射ミラーである。
【００１１】
上記目的を達成するため、第９の発明に係わるデジタルカメラは、撮影光学系からの光束を受光し、被写体像信号を出力する撮像手段と、上記撮影光学系からの光束を反射可能な挿入状態と、撮影光学系からの光束から退避した退避状態とに移動可能な反射部材と、  上記撮影光学系と上記撮像手段の間に配置され、チャージ状態では開放状態となっているシャッタユニットと、上記反射部材と上記シャッタユニットを駆動可能な駆動部材を具備し、上記撮像手段による撮像動作後の第１区間では、上記反射部材を上記反射可能な挿入状態に移動を行い、上記第１区間に引き続く第２区間では、上記シャッタユニットのチャージ動作を行い、第１区間から、第２区間への移行は、上記被写体像信号の読み出し完了後にのみ許可する。
第１０の発明に係わるデジタルカメラは、上記第９の発明において、上記駆動部材は上記反射部材に連動する第１のカムと、上記シャッタユニットに連動する第２のカムを有し、上記第１のカムと上記第２のカムはそれぞれ第１区間および第２区間に対応するカム面を有している。
【発明の効果】
【００１２】
本発明のデジタルカメラは、撮像手段からの画像データの読み出し中は、シャッタユニットのチャージ動作を禁止するようにしたので、ノーマルオープンタイプのシャッタを使用しても良好な画像を得ることのできるデジタルカメラを提供することができる。
【発明を実施するための最良の形態】
【００１３】
以下、図面に従って本発明を適用したデジタル一眼レフカメラを用いて好ましい第１実施形態について説明する。図１は、第１実施形態に係わるデジタル一眼レフレックスカメラの内部機構の概略構成を示すブロック図であり、（Ａ）は撮影レンズの光軸方向に沿った内部構成ブロック図、（Ｂ）はカメラ本体２００の正面方向からみた内部構成ブロック図である。
【００１４】
カメラ本体２００の上面にはレリーズ釦２１が配置されている。このレリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子としてのＣＣＤ（Charge Coupled Devices）２２１（図６参照）の出力に基づいて被写体像の画像データの取り込みを行う撮影動作を実行する。
【００１５】
レンズ鏡筒１００の内部に配置された撮影レンズ１０１（図６参照）の光軸上であって、カメラ本体２００のミラーボックス内に可動反射ミラー２０１が配置されている。この可動反射ミラー２０１は、被写体光束をファインダ光学系（例えば、ペンタプリズム２０７等）に反射するために撮影レンズ１０１の光軸に対して４５度傾いた反射位置と、被写体像を撮像素子(後述のＣＣＤ（Charge Coupled Device）２２１)に導くために、撮影光路から退避した退避位置とに回動可能となっている。可動反射ミラー２０１の回動軸は図１（Ａ）の紙面に対して垂直方向に沿っている。この可動反射ミラー２０１によって、上方に被写体光束を反射する。なお、本実施形態では、上方に反射しているが、これに限らず、カメラ本体の右方でも左方でも、被写体光束の反射方向は機構部材や光学部材の配置上、最も適切になるように選択してよい。
【００１６】
可動反射ミラー２０１の反射光軸上にフォーカシングスクリーン２０５が配置されており、これは撮影レンズ１０１による被写体光束を結像させるためのマット面であり、可動反射ミラー２０１からの距離がＣＣＤ２２１と等価な位置に配設されている。フォーカシングスクリーン２０５の上方には、被写体像を左右反転させるためのペンタプリズム２０７が配置されている。ファインダ接眼部３３は、ファインダ光学系の接眼部であって、撮影者はこの接眼部３３を覗いて被写体像の確認を行うことができる。
【００１７】
上述の可動反射ミラー２０１の中央付近はハーフミラーで構成されており、この可動反射ミラー２０１の背面には、ハーフミラー部を透過した被写体光束を反射するための測距用にサブミラー２０３が設けられている。このサブミラー２０３は、可動反射ミラー２０１に対して回動可能であり、可動反射ミラー２０１が撮影光路から退避し、被写体光束がＣＣＤ２２１に入射しているときには、ハーフミラー部を覆う位置に回動し、可動反射ミラー２０１が図示の如き被写体像観察位置（反射位置）にあるときには、可動反射ミラー２０１に対して起き上がって開となり測距ユニットに被写体光束の一部を反射可能となる位置にある。この可動反射ミラー２０１はシャッタ・ミラー駆動ユニット３０３によって駆動されている。また、サブミラー２０３の反射光路上に測距用センサを含むＴＴＬ位相差方式の測距回路２１７（図６参照）を含む測距ユニット２１８が配置されており、測距ユニット２１８によって、撮影レンズ１０１によって結像される被写体像の焦点ズレ量を検出する。
【００１８】
可動反射ミラー２０１の後方には、露光時間制御用にノーマルオープンタイプのフォーカルプレーンシャッタ２１３が配置されており、このシャッタ２１３はシャッタ駆動機構２１５（図６）を含むシャッタ制御部２１３ａとシャッタ・ミラー駆動ユニット３０３によって駆動制御される。シャッタ２１３の後方には撮像素子としてのＣＣＤ２２１が配置されており、撮影レンズによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。
【００１９】
カメラ本体２００の正面から見て左側には、カメラ本体の全体に電源を供給するためのバッテリ３０５が配置されている。また本体の右側には、後述するように、シャッタ２１３と可動反射ミラー２０１の駆動源となるミラーシャッタ（以下「ＭＳ」と略す）モータ３０１が配置され、このＭＳモータ３０１の駆動力を伝達するためのシャッタ・ミラー駆動ユニット３０３がＭＳモータ３０１の駆動軸と係合するように、ＭＳモータ３０１の下側に配置されている。また、可動反射ミラー２０１の脇には、シャッタ２１３の駆動制御を行うためのシャッタ制御部２１３ａが配置されている。
【００２０】
次に、図２乃至図５を用いて可動反射ミラー２０１とシャッタ２１３の駆動制構について説明する。
図２はシャッタ２１３と可動反射ミラー２０１を示す図であって、（Ａ）はシャッタ２１３の斜視図であり、（Ｂ）はシャッタ２１３の正面図、（Ｃ）はミラーの斜視図、（Ｄ）は可動反射ミラー２０１のミラーダウン状態を示し、（Ｅ）はミラーアップ状態を示す図である。図２（Ａ）に示すように、シャッタ２１３の側部にはシャッタ制御部２１３ａが配置されており、このシャッタ制御部２１３ａの下部には、シャッタセットレバー２１３ｂが突出している。そして、このシャッタセットレバー２１３ｂは初期状態では、図２（Ｂ）の斜線の位置（ア）の位置にあり、シャッタチャージ完了状態では、図２（Ｂ）の実線の位置（イ）の位置に移動する。
【００２１】
前述したように、シャッタ２１３はノーマルオープンタイプのフォーカルプレーンシャッタであり、通常状態ではシャッタ先幕および後幕はそれぞれ格納室に格納され、ＣＣＤ２２１の前方は開放状態となっている。そしてＣＣＤ２２１による撮影を行うに先立って、先幕・後幕マグネットを保持する。この状態でシャッタセットレバー２１３ｂを初期状態（ア）の位置に戻すことによりシャッタ先幕は撮影光路を遮る閉じ状態に移動する。この状態において先幕マグネットの吸着を解除すると、シャッタ先幕が走行を開始することにより露光が開始し、露光時間経過後に後幕マグネットの吸着を解除することによりシャッタ後幕が走行を開始し、露光の終了を行う。これらの露光動作が終了した後、シャッタセットレバー２１３ｂをチャージ完了状態の（イ）の位置にチャージするとシャッタ２１３がチャージされ、シャッタ後幕は撮影光路から退避して格納室に格納され、ＣＣＤ２２１の前方は開放状態となる。このように、ノーマルオープンタイプのフォーカルプレーンシャッタは、通常状態では開放状態となっており、撮影の前後で一時的に閉じ状態となるシャッタである。
【００２２】
可動反射ミラー２０１のダウン状態では、図２（Ｃ）に示すように、サブミラー２０３は可動反射ミラー２０１に対して開いた位置に回動している。可動反射ミラー２０１の回動軸側には、図２（Ｄ）に示すように、ミラーダウンバネ３４５が設けられており、このミラーダウンバネ３４５によって図中の反時計方向、すなわちダウン方向に付勢されている。このミラーダウンバネ３４５によって付勢された可動反射ミラー２０１は位置規制ピン３４９によって、撮影光路に対して４５度の位置に規制されている。ミラー駆動レバー３４１はＬ字状形状をしており、ミラー駆動バネ３４３によって反時計方向、すなわちミラーをアップさせるアップ方向に付勢されている。ミラー駆動レバー３４１の一端は、可動反射ミラー２０１に固設された係合ピン３４７に係合可能な位置に配置されている。なお、ミラー駆動バネ３４３のバネ力の方が、ミラーダウンバネ３４５のバネ力よりも常時強く構成されている。
【００２３】
ミラーダウン状態では、ミラー駆動レバー３４１は、ミラーチャージレバー３５１によって、ミラー駆動バネ３４３の付勢力に抗して時計方向に回動させられており、図２（Ｄ）に示す位置にある。この状態で、ミラー駆動レバー３４１を係止しているミラーチャージレバー３５１が右方に移動すると、ミラー駆動レバー３４１はミラー駆動バネ３４３の付勢力によって反時計方向に回動する。この回動に伴って、係合ピン３４７を介して、可動反射ミラー２０１はダウン位置からアップ位置に回動し、図２（Ｅ）に示す状態になる。この状態からミラーチャージレバー３５１が、ミラー駆動バネ３４３の付勢力に抗して左方に移動して、図２（Ｄ）の位置に達するとミラーチャージ完了状態となる。
【００２４】
図３は、ＭＳモータ３０１の駆動力が伝達されるシャッタ・ミラー駆動ユニット３０３の分解斜視図である。ギア３６３を介して、カムギア３５７にＭＳモータ３０１の駆動力が伝達される。このカムギア３５７の上面にはカムギア３５７の回転軸の半径方向に変化する周面を有するミラーチャージカム３５３が固設されており、このミラーチャージカム３５３のカム面３５３ａにはミラーチャージレバー３５１の一端が係接している。このミラーチャージレバー３５１の他端はミラー駆動レバー３４１と係接している。ミラー駆動レバー３４１は、ミラーチャージレバー３５１を時計方向に回動させる向きにバネ付勢されているので（図２参照）、ミラーチャージレバー３５１の一端はミラーチャージカム３５３に対して圧接することになる。したがって、カムギア３５７の回動に伴って、これと一体のミラーチャージカム３５３が回動し、このミラーチャージカム３５３のカム面に圧接しているミラーチャージレバー３５１は回動する。
【００２５】
また、カムギア３５７の下面にはカムギア３５７の回転軸の半径方向に変化する周面を有するシャッタチャージカム３５５のカム面が固設されており、このシャッタチャージカム３５５にはシャッタチャージレバー３６１の一端が係接している。このシャッタチャージレバー３６１の他端はシャッタセットレバー２１３ｂと係接している。したがって、カムギア３５７の回動に伴って、これと一体のシャッタチャージカム３５５も回動し、このシャッタチャージカム３５５のカム面に係接しているシャッタチャージレバー３６１は回動し、シャッタセットレバー２１３ｂも回動する。
【００２６】
上述したミラーチャージカム３５３のＡＡ方向から見たカム面を図４（Ａ）に示し、シャッタチャージカム３５５のＢＢ方向から見たカム面を図４（Ｂ）に示す。ミラーチャージカム３５３のカム面３５３ａは、図示されるように、リフトカムａ、上死点領域ｂ、上死点領域ｃ、上死点領域ｄ、リバースリフトカムｅ、下死点領域ｆ、下死点領域ｇの７つの領域から構成されている。また、シャッタチャージカム３５５のカム面３５５ａは、図示されるように、下死点領域ａ、下死点領域ｂ、リフトカムｃ、上死点領域ｄ、上死点領域ｅ、上死点領域ｆ、下死点領域ｇの７つの領域から構成されている。なお、図４におけるミラーチャージカム３５３とシャッタチャージカム３５５の相対的回転位置関係は、互いの基準位置が同じ位置で説明しているが、ミラーチャージレバー３５１およびシャッタチャーレバー３６１の配置で互いの基準位置が変化する。また、図示しないが、ミラーチャージカム３５３、シャッタチャージカム３５５、もしくはこれらと一体に駆動される部材の回転もしくは移動を検知する複数のフォトインタラプタが設けられている。これらのフォトインタラプタによって、領域ｄにある間、Ｌレベル出力するｄ検出と、領域ｆにある間、Ｌレベル出力するｆ検出と、領域ａおよび領域ｇにある間、Ｌレベル出力するｇ検出がなされる（図５参照）。
【００２７】
カム領域ａはミラーチャージ領域であり、可動反射ミラー２０１を退避位置から撮影レンズ１０１の撮影光路中に位置させる反射位置に駆動するための領域である。この領域では、ミラーチャージカム３５３は下死点から上死点に変化し、可動反射ミラー２０１は図２（Ｅ）の退避位置から、ミラーチャージレバー３５１が図中右から左に駆動され、ミラー駆動バネ３４３のチャージ動作を行う。また、シャッタチャージカムは下死点のままであるので、変化はなく、シャッタ２１３はチャージ未完了状態にあり、シャッタセットレバー２１３ｂは図２（Ｂ）（ア）に示す位置にある。
【００２８】
カム領域ｂはパワーオフ領域であり、ミラーチャージカム３５３は上死点にあり、可動反射ミラー２０１はダウン状態（図２（Ｄ）参照）、すなわちファインダ光学系は被写体光束を反射する観察位置（反射位置）にある。この状態では、ファインダ光学系に被写体光束が導かれるので、光学ファインダによる被写体像の観察が可能である。シャッタチャージカム３５５は下死点にあり、シャッタ２１３はチャージ未完了状態にある。なお、このパワーオフ領域は、カメラ本体がパワーオフとなった場合に限らず、撮影レンズが外され、マウント面が開口状態となった場合にもこの領域が使用される。
【００２９】
カム領域ｃはシャッタチャージ領域であり、シャッタチャージカム３５５のカム面３５５ａは下死点から上死点に変化、シャッタセットレバー２１３ｂは、図２（Ｂ）（ア）に示す位置から図２（Ｂ）（イ）に示す位置に駆動され、シャッタチャージ未完了状態からシャッタチャージ完了状態に変化する。一方、ミラーチャージカム３５３のカム面３５３ａは上死点のままであり、可動反射ミラー２０１は撮影光路中に位置し、ファインダ光学系に被写体光束を反射する反射位置にある。
【００３０】
カム領域ｄはスタンバイ領域であり、ミラーチャージカム３５３は上死点にあり、可動反射ミラー２０１はダウン状態（図２（Ｄ）参照）、すなわちファインダ光学系に被写体光束を反射する観察位置（反射位置）にある。この状態では、ファインダ光学系に被写体光束が導かれるので、ファインダによる被写体像の観察が可能である。また、測光素子２１１にも被写体光束が導かれ、カメラ本体はパワーオン状態であることから、測光が可能である。さらにサブミラー２０３によって被写体光束が測距ユニット２１８に導かれるので測距及び撮影レンズの合焦位置への駆動（自動焦点調節）が可能である。また、シャッタチャージ領域（カム領域ｃ）において、シャッタチャージカム３５５が上死点に駆動され、このカム領域ｄにおいて維持されているので、図２（Ｂ）（イ）に示すようにチャージ完了状態にある。なお、シャッタ２１３はチャージ状態にあるがシャッタセットレバー２１３ｂが退避していないので、このままではシャッタ幕の走行ができず、露光することはない。また、シャッタ２１３はノーマルオンタイプであるので開放状態となっているが、可動反射ミラー２０１がダウン位置にあることから直接的に被写体光束がＣＣＤ２２１に入射することはない。
【００３１】
カム領域ｅはリバースチャージ領域であり、ファインダ光学系による観察を行うスタンバイ領域（カム領域ｄ）からライブビュー領域（カム領域ｆ）への遷移領域である。この領域では、ミラーチャージカム３５３のカム面３５３ａは、上死点から下死点に変化し、ミラーチャージレバー３５１は図２（Ｄ）に示す位置から図２（Ｅ）に示す位置に移動し、可動反射ミラー２０１はミラーダウンバネ３４５の付勢力によって反射位置（ダウン位置）から退避位置（アップ位置）に変化する。一方、シャッタチャージカム３５５のカム面３５５ａは、上死点のままで変化なく、シャッタチャージ完了状態を保っている。なお、ミラーチャージ３５３のカム面３５３ａの傾斜を多少緩く形成しているので、ライブビュー領域からスタンバイ領域に戻ることも可能である。このため、ライブビューを行っている際にサブミラー２０３を介して位相差ＡＦを行うことや、測光素子２１１による測光が必要なった場合には、ＭＳモータ３０１を逆転させ、スタンバイ領域に戻って、これらの動作を行うことが可能な構成となっている。このように、領域ｄと領域ｆの間を往復動することで、繰り返し測距やピント合わせのためのレンズ駆動が可能である。
【００３２】
カム領域ｆはライブビュー領域であり、ライブビューを行うための領域である。ミラーチャージカム３５３は下死点にあり、可動反射ミラー２０１はアップ状態（図２（Ｅ）参照）、すなわち撮影光路から退避した退避位置にある。また、シャッタチャージカム３５５は上死点にあり、シャッタセットレバー２１３ｂは図２（Ｂ）（イ）に示すチャージ状態を保持したままにある。この状態では、可動反射ミラー２０１は退避位置（アップ状態）であり、ノーマルオープンタイプのシャッタ２１３は開放状態であることから、撮像素子としてのＣＣＤ２２１上には被写体像が結像する。したがって、光学ファインダによる被写体像の観察は不可能であるが、このＣＣＤ２２１からの画像情報を出力することができ、この画像情報に基づいて液晶モニタ２６に被写体像を表示することができる。
【００３３】
カム領域ｇは撮影領域であり、ミラーチャージカム３５３は下死点にあり、可動反射ミラー２０１はアップ状態（図２（Ｅ）参照）、すなわち撮影光路から退避した退避位置にある。また、シャッタチャージカム３５５は下死点に移ることから、シャッタセットレバー２１３ｂは図２（Ｂ）（ア）に示す位置に移動し、シャッタ先幕および後幕が走行可能な退避位置となっている。この状態は、レリーズ釦２１の操作により２Ｒがオンとなった場合であり、シャッタ２１３を保持するシャッタマグネットの吸着解除に応じてシャッタ先幕と後幕がそれぞれ走行し、この間、ＣＣＤ２２１によって静止画を撮像し、記録することができる。
【００３４】
なお、ミラーチャージカム３５３およびシャッタチャージカム３５５は、図中左回転（反時計回り）し、前述の如く、カムフォロア構成となっているミラーチャージレバー３５１とシャッタチャージレバー３６１を回動させる。通常モードでは、シャッタチャージ完了状態かつ可動反射ミラー２０１が反射位置にあり（カム領域ｄ）、光学ファインダで観察可能となっており、レリーズ釦２１の操作に応じてカム領域ｇに駆動され撮影を行う。一方、ライブビューモードでは、シャッタチャージ完了状態かつ可動反射ミラー２０１が退避位置にあり（カム領域ｆ）、液晶モニタ２６にてライブビュー表示を行い、レリーズ釦２１の操作に応じてカム領域ｇに駆動され撮影を行う。
【００３５】
次に、図６を用いて、デジタル一眼レフカメラの電気系を主とする全体構成を説明する。本実施形態に係わるデジタル一眼レフカメラは、前述したように、交換レンズ１００とカメラ本体２００は別体で構成されており、両者は通信接点３００にて電気的に接続されている。なお、交換レンズ１００とカメラ本体２００を一体に構成することも可能である。
【００３６】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００３７】
カメラ本体２００内には、前述したように可動反射ミラー２０１、サブミラー２０３、フォーカシングスクリーン２０５、ペンタプリズム２０７が配置されている。可動反射ミラー２０１はミラー駆動機構２１９によって駆動されている。ペンタプリズム２０７の出射側には被写体像観察用の接眼レンズ２０９が配置され、この脇であって被写体像の観察に邪魔にならない位置に測光センサ２１１が配置されている。フォーカシングスクリーン２０５、ペンタプリズム２０７、接眼レンズ２０９はファインダ光学系の一部を構成している。
【００３８】
また、上述したように、可動ミラー２０１の背面にはサブミラー２０３が設けられており、このサブミラー２０３の反射方向に測距センサを含む測距回路２１７が配置されている。さらに、可動ミラー２０１の後方には、シャッタ２１３が配置されており、このシャッタ２１３はシャッタ駆動機構２１５によって駆動制御される。また、シャッタ２１３の後方には撮像素子としてのＣＣＤ２２１が配置されており、レンズ１０１、１０２によって結像される被写体像を電気信号に光電変換する。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるライブビュー表示用の画像データの生成も行う。
【００３９】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００４０】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００４１】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００４２】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。カメラ本体２００に交換レンズ１００が装着されているか否かの検出を行うレンズ着脱検出スイッチ２５７がカメラ本体１００のレンズ装着用の開口部に設けられている。シャッタレリーズ釦の第1ストロークや第２ストロークを検出するスイッチ、再生モードを指示するスイッチ、液晶モニタ２６の画面でカーソルの動きを指示するするスイッチ、撮影モードを指示するスイッチ、選択された各モード等を決定するＯＫスイッチ等の各種スイッチ２５５およびレンズ着脱検出スイッチ２５７は、スイッチ検出回路２５３を介してデータバス２６１に接続されている。レンズ着脱スイッチ２５７は、レンズの着脱を検出する公知の機械的スイッチで構成されるが、これに限らず、例えば、光電検出スイッチや、レンズ内のＣＰＵと通信を行うことによって検出するようにしても良く、レンズの装着・脱着状態を検出できる物であれば良い。
【００４３】
次に図７を用いてカメラ本体のパワースイッチをオンしたときのパワーオンリセットのフローについて説明する。カメラ本体の図示しないパワースイッチがオンとなったかを判定する（Ｓ１）。判定の結果、パワースイッチがオフの場合には、ステップＳ３に進み、スリープ状態となる。このスリープ状態ではパワースイッチがオンとなった場合のみに割り込み処理を行い、次のステップＳ５のパワースイッチオン処理を行う。パワースイッチがオンとなるまでは、パワースイッチ割り込み処理以外の動作を停止し、電源の消耗を防止する。ステップＳ１において、パワースイッチがオンであった場合には、ステップＳ５に進み、パワースイッチオン処理を行う。このステップＳ５では、カメラ本体の電気系について各種フラグ等の初期値のリセット動作を行い、また機械系について初期位置設定等のリセット動作を行う。
【００４４】
パワースイッチオン処理が終わると、次にライブビューモードか否かの判定を行う（Ｓ７）。カメラ本体の表示モード設定のための各種釦によってライブビューが設定されているか否かを検出し、ライブビューモードが設定されていない場合には、情報表示モードに進み（Ｓ９）、一方、ライブビューモードが設定されている場合には、ライブビューモードに進む（Ｓ１１）。情報表示モードはカメラの撮影情報等を液晶モニタ２６に表示し、撮影情報を設定変更できるモードであり、被写体像の観察は光学ファインダによって行う。ライブビューモードは、ＣＣＤ２２１で撮像した被写体像を液晶モニタ２６に表示するモードである。
【００４５】
情報表示モードまたはライブビューモードが終了すると、再び、パワースイッチがオフか否かの判定を行い（Ｓ１３）、オンであればステップＳ７に戻り前述のステップを繰り返す。パワースイッチがオフであった場合には、ステップＳ１５に進み、パワーオフのための各種処理を行う。パワーオフ時には、シャッタチャージカム３５３やミラーチャージカム３５５のカム領域ｂにセットを行う。
【００４６】
次に図８を用いてステップＳ１１におけるライブビューモードのフローを説明する。ライブビューモードに入ると、まず、測光・露光量演算を行う（Ｓ２１）。ここでは、まだカム領域ｄ（図５参照）にあり、可動反射ミラー２０１は反射位置にあるので、この可動反射ミラー２０１から導かれた被写体光束の一部を測光素子２１１は測光し、この測光値に基づいてボディＣＰＵ２２９はシャッタ速度や絞り値等の露光値を演算する。続いて、ライブビューを行うための初期設定を行う（Ｓ２２）。この初期設定では、ＣＣＤ２２１に電源の供給を行い、液晶モニタ２６におけるライブビュー表示の明度を適切に保つためにライブビュー表示条件の設定を行い、また可動反射ミラー２０１のミラーアップ動作等も行う。後者については、図９を用いて後述する。なお、このライブビュー初期設定の中で、ライブビューが開始される。
【００４７】
次に、レリーズ釦２１の半押し操作がなされているか、すなわち１Ｒがオンか否かについて判定する（Ｓ２３）。判定の結果、オンであった場合にはステップＳ２５に進み、自動焦点調節（ＡＦ）のサブルーチンを実行する。このサブルーチンにおいては、液晶モニタ２６に被写体像をライブビューしながら、自動焦点調節と測光動作を行う。この自動焦点調節と測光動作は、カム領域ｅを経てカム領域ｄに移行して、この領域で可動反射ミラー２０１を反射位置に下降させた状態で測光素子２１１により測光を行うと共にサブミラー２０３によって導かれた被写体光束に基づいて測距回路２１７によって測距動作が行われる。
【００４８】
ステップＳ２５における自動焦点調節（ＡＦ）が終了すると、続いて、レリーズ釦２１の全押し操作がなされたか否か、すなわち２Ｒがオンか否かについて判定する（Ｓ２７）。判定の結果、２Ｒがオンであった場合には、ステップＳ２９に進み、撮影動作を実行する。この撮影動作のサブルーチンについては、図１０を用いて後述する。撮影動作が終了すると、ステップＳ２２のライブビューの初期設定に戻り、前述のステップを繰り返す。ステップＳ２７に戻り、２Ｒがオフであった場合には、ステップＳ３１に進み、１Ｒがオンか否かの判定を行う。レリーズ釦２１が半押しされているが、全押しされていない場合には、ステップＳ２７とステップＳ３１の判定を行う待機状態となる。レリーズ釦２１から撮影者の手が離れると、ステップＳ２３に戻り、前述のステップを繰り返す。
【００４９】
ステップＳ２３に戻り、１Ｒがオフであった場合には、ステップＳ３３に進み、表示モードの切り換え、すなわちライブビューでの被写体像の表示からファインダ光学系での光学的な表示に操作釦〈図示せず〉によって切り換えがなされたか否かの判定を行う。判定の結果、表示モードが切り換えられた場合には、ステップＳ３５において、液晶モニタ２６での被写体像のライブビュー表示を停止するために、ＣＣＤ２２１の電源停止等の処理を行う。ステップＳ２２のライブビュー初期設定の中でライブビュー表示が開始され、このステップＳ３５においてライブビュー表示が停止されるまでの間、ＣＣＤ２２１で繰り返し取得された撮像データに基づいて、液晶モニタ２６には連続的にライブビュー表示がなされている。続いて、ステップＳ３７において、シャッタ２１３と可動反射ミラー２０１の初期化を行う。これは、ライブビューを行うにあたって、可動反射ミラー２０１をアップ位置（反射位置）に移動させていたが、光学ファインダで被写体像を観察し、液晶モニタ２６には撮影情報を表示させる情報表示モードに戻すための処理である。この初期化にあたって、ＭＳモータ３０１は、前述のミラーチャージカム３５３とシャッタチャージカム３５５がカム領域ｄに達するまで駆動を行う。
【００５０】
ステップＳ３３に戻り、表示モードが切り換えられていなかった場合には、ステップＳ４１に進み、図示しないレンズ着脱検出スイッチの状態を検出して、撮影レンズが離脱されたか否かの判定を行う。判定の結果レンズが外されていた場合には、ステップＳ４３に進み、レンズ離脱処理を行う。シャッタ２１３はノーマルオープンタイプであるために、撮影レンズが外されるとＣＣＤ２２１を覆う部材がなくなり、塵埃等が付着するおそれがあり、またＣＣＤ２２１が外界に直接露出してしまうため、これを防止する意味からシャッタ２１３の閉じ動作や可動反射ミラー２０１のダウン等を行う。レンズ離脱処理が終了すると、ステップＳ２３に戻り、前述のステップを繰り返す。
【００５１】
ステップＳ４１に戻り、撮影レンズが離脱していなかった場合には、撮影レンズが装着されたか否かについて、レンズ着脱検出スイッチの状態を検出して、判定する。判定の結果、撮影レンズが装着された場合には、ステップＳ４７に進み、レンズ装着処理を行う。前述したように、レンズが外されている場合には、シャッタ２１３の閉じ動作を行っていたが、撮影レンズが装着された場合には、シャッタ２１３の開放動作等を実行する。レンズ装着処理が終了すると、ステップＳ２２に戻り、前述のステップを繰り返す。
【００５２】
次に、前述のステップＳ２２のライブビュー初期設定について、図９に示すフローチャートを用いて詳述する。ライブビューを行う以前は、ミラーチャージカム３５３とシャッタチャージカム３５５は、カム領域ｄ（スタンバイ領域）にあり、ライブビューの初期化にあたっては、ＭＳモータ３０１はライブビューを行うカム領域ｆにカムギア３５７を駆動する。まず、ＭＳモータ３０１を回転させ、カム領域ｄからカム領域ｅへミラーチャージカム３５３とシャッタチャージカム３５５を駆動する（Ｓ５１）。この間、ミラー駆動レバー３４１は、図２（Ｄ）の位置から図２（Ｅ）の位置に向けて移動し、ミラー駆動バネ３４３のバネ力によって可動反射ミラー２０１は、アップ（退避）位置にむけて回動する。またシャッタカム３５５のカム面３５５ａは変化せず、上死点のままであることから、図２（Ｂ）（イ）の位置のままであり、シャッタチャージ状態を保持する。ｆ領域に達するとｆ検出がＬレベルとなり（Ｓ５３）、ＭＳモータ３０１の回転を停止する（Ｓ５５）。これによって、可動反射ミラー２０１はアップ（退避）位置になり、また、シャッタ２１３はシャッタチャージ状態を保持したままである。なお、前述したように、シャッタ２１３はノーマルオープンシャッタであることから、通常状態では開放されたままであり、特段、ライブビューを行うためのシャッタ開放動作は必要ない。
【００５３】
この状態では、可動反射ミラー２０１は退避位置にあり、シャッタ２１３は開放状態のままであることから、ＣＣＤ２２１上には、被写体像が結像しており、イメージャとしてのＣＣＤ２２１から画像情報の読み出しを開始する（Ｓ５７）。この読み出された画像情報に基づいて、液晶モニタ２６にライブビュー表示を行う（Ｓ５９）。ライブビュー表示を行うために、繰り返しＣＣＤ２２１から画像情報の読み出しを行い（例えば３０フレーム／秒）、動画として表示する。
【００５４】
次に、ステップＳ２９の撮影動作について、図１０に示すフローチャートを用いて詳述する。このサブルーチンは、前述したように、ライブビュー中にレリーズ釦２１が全押しされた際に、ＣＣＤ２２１からの出力に基づいて静止画を取得し、記録媒体２４５に記録を行うものである。ライブビューはカム領域ｆで行っており、撮影動作に移る場合には、シャッタ２１３の先幕・後幕マグネットを吸着保持させた後、そのままカム領域ｇにミラーチャージカム３５３とシャッタチャージカム３５５を駆動すればよい。前述したように、シャッタ２１３はノーマルオープンタイプであるので、シャッタ開放状態となっているので、露光時間制御のために、一旦閉じ状態にする。また、可動反射ミラー２０１は退避位置にあるので、その位置を保っていればよい。
【００５５】
まずシャッタ先幕および後幕保持用のマグネットＭｇに給電し、先幕および後幕を保持する（Ｓ７１）。この後、ＭＳモータ３０１の駆動を開始する（Ｓ７３）。この駆動により、カム領域ｆからカム領域ｇに向けて駆動が開始する。ミラーチャージカム３５３のカム面３５３ａはカム領域ｆとカム領域ｇで変化はないので、そのまま可動反射ミラー２０１は退避位置を保持するが、シャッタチャージカム３５５のカム面３５５ａは上死点から下死点に向けて変化し、これに応じてシャッタ先幕は開位置から閉位置に変化する。また、これとほぼ同時期に、カム領域ｆからカム領域ｇに遷移したことを検出するｇ検出スイッチがＬレベルを検出すると（Ｓ７５）、ＭＳモータ３０１は駆動を停止する（Ｓ７７）。
【００５６】
この状態では、可動反射ミラー２０１は撮影光路から退避しており、シャッタ２１３は露光可能状態となっているので、撮影動作に移る（Ｓ７９）。まず、シャッタ先幕を保持しているマグネットＭｇの通電を停止し、シャッタ先幕の走行を開始させる。予め演算されたシャッタ速度に対応した時間が経過したら、シャッタ後幕の走行を開始させる。シャッタ後幕の走行開始後、後幕が終了する時間が経過したら、ＣＣＤ２２１から画像信号の読出の指示を行う（Ｓ８１）。続いて、ＭＳモータ３０１を駆動させ（Ｓ８２）、カム領域ｇからカム領域ａに移行させる。
【００５７】
カム領域ｇからカム領域ａに移ると、ミラーチャージカム３５３のカム面３５３ａはリフト領域となり、ミラーチャージレバー３５１は回動して、可動反射ミラー２０１のチャージ動作を行う。カム領域ａからカム領域ｂに移ると、ｇ検出スイッチがＬレベルからＨレベルに立ち上がり（Ｓ８３）、このＨレベル信号を検出するとＭＳモータ３０１の駆動を停止させる（Ｓ８４）。この状態で、ＣＣＤ２２１から画像信号の読み出しが完了するのを待ち（Ｓ８５）、読み出しが完了すると、再びＭＳモータ３０１を駆動させる（Ｓ８６）。
【００５８】
このように、ＣＣＤ２２１からの画像信号の読出はステップＳ８１からＳ８５の間でなされるが、これは領域ｇ、領域ａおよび領域ｂである。これらの領域では、シャッタ２１３は閉じたままであり、ＣＣＤ２２１に被写体光束を受けることがないため、ＣＣＤ２２１から読み出される画像信号にノイズが発生するようなことはない。なお、画像信号の読出が終了すると、読み出された画像信号に基づいて、液晶モニタ２６に所定時間、表示を行う。
【００５９】
ステップＳ８６において、ＭＳモータ３０１が駆動し、カム領域ｂからカム領域ｃに移ると、シャッタチャージカム３５５のカム面３５５ａはリフト領域となり、シャッタチャージレバー３６１は回動してシャッタ２１３のチャージ動作を行う。カム領域ｃでシャッタ２１３のチャージ動作が行わると、シャッタ２１３は閉じ状態から開放状態に変化する。カム領域ｃからカム領域ｄに入ると、ｄ検出スイッチがＬレベルを検出し（Ｓ８７）、ＭＳモータ３０１は駆動を停止する（Ｓ８８）。続いて、読み出された画像信号に基づく画像データを記録媒体２４５に記録する（Ｓ８９）。撮影動作のサブルーチンが終了すると、ステップＳ２２のライブビュー初期設定に戻り、このサブルーチンの中でカム領域ｄからｆ領域に移行し、ライブビューを再開する。
【００６０】
このように、本実施形態では、撮像後の画像信号の読出を、シャッタ２１３が閉じ状態で行い、読出完了後にシャッタ２１３のチャージ動作（開放動作）を行っている。すなわち、撮影動作を行うカム領域ｇに入り（図１１のｔ０のタイミング）、シャッタ先幕および後幕を走行させ、露光動作が終了すると、続いてＣＣＤ２２１から画像信号の読出しを開始する（図１１のｔ１のタイミング）。画像信号の読出が終了すると（図１１のｔ２のタイミング）、ＭＳモータ３０１の駆動を開始し（図１１のｔ３のタイミング）、カム領域ｃにおいてシャッタ２１３のチャージ動作を行う。
【００６１】
以上の如く、本発明の第１実施形態においては、ノーマルオープンタイプのシャッタ２１３を用い、ＣＣＤ２２１の画像信号の読出を、撮像動作終了後のシャッタ閉じ状態で開始し、画像信号の読出が完了するまでは、シャッタのチャージ動作、すなわち開放動作を禁止している。このため、画像読出時に被写体光が撮像素子に入射し、ノイズが発生してしまうという不具合を防止することができる。
【００６２】
また、本発明の第１実施形態においては、ノーマルオープンタイプのシャッタ２１３を用い、シャッタチャージカム３５３のカム面３５３ａおよびミラーチャージカム３５５のカム面３５５ａにそれぞれパワーオフ領域（カム領域ｂ）、ライブビュー領域（カム領域ｆ）と撮影領域（カム領域ｇ）を設け、パワーオン時には、パワーオフ領域からスタンバイ領域にシャッタチャージカム２５５を駆動することにより、シャッタ２１３の開放動作とシャッタチャージ動作を行うようにしたので、ライブビューに移行するのが簡単であると共に、撮影動作を迅速に行うことができる。
【００６３】
なお、本発明の第１実施形態では、ミラーチャージカム３５３とシャッタチャージカム３５５の２つのカムを採用していたが、これに限らず、例えば、１つのカムで領域をミラーチャージ用とシャッタチャージ用に分けるようにしても良い。また、上記カムはスタンバイ領域（カム領域ｄ）とライブビュー領域（カム領域ｆ）の間の往復動を除けば、一方向のみの回転であったが、シャッタチャージカム２５５のカム領域ｆとカム領域ｇの間のカム形状を緩くすることによって正逆転を行うようにしてもよい。さらに、シャッタ先幕の閉じ動作を行わせるためのカム面をライブビュー領域（カム領域ｆ）としたが、撮影領域（カム領域ｇ）とすることも可能である。
【００６４】
また、本実施形態では、ライブビューを行うカメラであったが、これに限らず光学ファインダで被写体像を観察するカメラでもノーマルオープンタイプシャッタを採用するカメラであれば本発明を適用できる。
【００６５】
次に、本発明の第２実施形態について説明する。本発明の第１実施形態では、可動ミラー２０１を全反射ミラーとし、ライブビュー表示を行う場合には、可動ミラー２０１を撮影レンズの光路から退避させていたが、第２実施形態では、可動ミラーをハーフミラーで構成し、ライブビュー表示を行う場合には可動ハーフミラー１２０１を透過した被写体光束を用いるようにしている。
【００６６】
まず、第２実施形態におけるデジタル一眼レフカメラの電気系を主とする全体構成について図１２を用いて説明する。レンズ鏡筒１０の内部には、第１実施形態と同様に、焦点調節および焦点距離調節用のレンズ１０１、１０２と、開口量を調節するための絞り１０３、レンズ１０１およびレンズ１０２を駆動する光学系駆動機構１０７、絞り１０３を駆動する絞り駆動機構１０９、これらを制御するレンズＣＰＵ１１１が設けられている。構成および作用は第１実施形態と同様であるので、詳細な説明は省略する。
【００６７】
カメラ本体２０内のミラーボックス内には、レンズ１０１、１０２を通過した光束の一部を透過する特性を有する可動の反射ミラー（以下、便宜上、稼動ハーフミラーという）１２０１が配置されている。この可動ハーフミラー１２０１は、可動ミラー駆動機構１２１５によって駆動され、回動軸１２０１ａを中心に紙面垂直方向の軸に沿って回動可能である。可動ハーフミラー１２０１がレンズ１０１、１０２の光路に対して４５度に傾いた反射位置（図１２において実線の位置）にあるときには、被写体光束の一部（例えば３０％）が反射され、測距／測光センサ１２１７に導かれる。また被写体光束の残り（例えば７０％）は、可動ハーフミラー１２０１を透過してＣＣＤ２２１の方向に導かれる。そして、可動ハーフミラー１２０１がレンズ１０１、１０２の光路と略並行で、被写体光束を遮らない退避位置（図１２において二点鎖線の位置）にあるときには、被写体光束の全部がＣＣＤ２２１に導かれる。なお、本実施形態においては、可動ハーフミラー１２０１の回動中心は、ミラーボックス内の下側であるが、これに限らず、上側でも良く、また左右のいずれかに紙面に対して並行な回動中心にしても勿論構わない。
【００６８】
測距／測光センサ１２１７は、カメラ本体２０内のミラーボックスの上部であって、可動ハーフミラー１２０１によって反射された光束が導かれる位置に配置されており、測距用のセンサと測光センサから構成されている。測光センサは被写体像を分割して測光する多分割測光素子で構成され、また測距センサはＴＴＬ位相差法によって測距するためのセンサである。測距／測光センサ１２１７の出力は測距／測光処理回路１２１９に送られる。測距／測光処理回路１２１９は、測光センサの出力に基づいて評価測光値を出力し、また測距センサの出力に基づいて、レンズ１０１、１０２によって結像される被写体像の焦点ズレ量を測定する。なお、測距センサと測光センサは別体に構成しても、一体に構成しても良い。
【００６９】
可動ハーフミラー１２０１の後方であって、レンズ１０１、１０２の光軸上であって、撮影光路上には、露光時間制御およびＣＣＤ２２１の遮光用のフォーカルプレーンタイプのシャッタ１２０３が配置されており、このシャッタ１２０３はシャッタ駆動機構２１３によって駆動制御される。シャッタ１２０３は、第１実施形態のシャッタ２１３と同様に、ノーマルオープンタイプのフォーカルプレーンシャッタである。
【００７０】
シャッタ１２０３の後方には防塵フィルタ１２０５が配置されており、これは、カメラ本体２０のマウント開口部や本体内部で発生した塵埃がＣＣＤ２２１や光学素子に付着して塵埃の影が被写体像に写しこまれ、見苦しくなることを防止するためのフィルタである。防塵フィルタ１２０５の周縁部の全周または一部に圧電素子１２０７が固着され、この圧電素子１２０７は防塵フィルタ駆動回路１２１１に接続され、この回路によって駆動される。圧電素子１２０７は防塵フィルタ駆動回路１２１１によって、防塵フィルタ１２０５が所定の超音波で振動するよう駆動され、その振動を利用して防塵フィルタ２０５の前面に付着した塵埃を除去する。なお、ＣＣＤ等の撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００７１】
防塵フィルタ１２０５の後方には、被写体光束から赤外光成分をカットするための赤外カットフィルタ１２０９が配置され、その後方には被写体光束から高周波成分を取り除くための光学的ローバスフィルタ１２１０が配置されている。そして、光学的ローパスフィルタ１２１０の後方には、撮像素子としてのＣＣＤ２２１が配置されており、レンズ１０１、１０２によって結像される被写体像を電気信号に光電変換する。これらの防塵フィルタ１２０５、赤外カットフィルタ１２０９、光学的ローパスフィルタ１２１０およびＣＣＤ２１１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide
Semiconductor）等の二次元撮像素子を使用できることはいうまでもない。
【００７２】
ＣＣＤ２２１は撮像素子駆動回路１２２３に接続され、入出力回路２３９からの制御信号によって駆動制御される。撮像素子駆動回路１２２３によって、ＣＣＤ２２１から出力された光電アナログ信号が増幅され、アナログデジタル変換（ＡＤ変換）される。撮像素子駆動回路１２２３は画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、ライブビュー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００７３】
ＡＳＩＣ２７１内の画像処理回路２２７、ボディＣＰＵ２２９、圧縮回路２３１、ビデオ信号出力回路２４７、ＳＤＲＡＭ２３６、通信回路２４１、記録媒体制御回路２４３、フラッシュメモリ２３３、スイッチ検出回路２５３は第１実施形態と同様な構成と作用であるので、詳細な説明は省略する。また、これらの回路に接続されている液晶モニタ駆動回路２４９、ＳＤＲＡＭ２３７、記録媒体２４５、フラッシュメモリ２３５、及びその他の各種スイッチ回路２５５は第１実施形態と同様であるので、これらについても詳細な説明を省略する。
【００７４】
第１実施形態ではスルー画の表示装置として、液晶モニタ２６のみであったが、第２実施形態においては、カメラ本体の背面とファインダ内にそれぞれ液晶モニタを設け、第１実施形態の液晶モニタ２６と同一の構成を持つ背面液晶モニタ２６については、同一の符号を付してある。また、ファインダ内液晶モニタ２９は、ファインダ接眼部３３を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部３３およびファインダ内液晶モニタ２９を省略することも可能である。
【００７５】
また、入出力回路２３９の機能は、第１実施形態と同様であり、上述の防塵フィルタ駆動回路２１１、シャッタ駆動機構２１３、可動ミラー駆動機構２１５、ミラー移動検知スイッチ２１６、測距／測光処理回路２１９、撮像素子駆動回路２２３に接続され、データバス２６１を介してボディＣＰＵ２２９等の各回路とデータの入出力を制御する。さらに、パワースイッチ２５７は、カメラ本体２０やレンズ鏡筒１０のパワー供給の制御を行うためのパワースイッチレバーに連動してオン・オフするスイッチである。
【００７６】
第２実施形態のシャッタ・ミラー駆動ユニットは第１実施形態におけるシャッタ・ミラー駆動ユニット（図２および図３）と同様であり、そのミラーチャージカム３５３とシャッタチャージカム３５５の形状が、図１３および図１４に示すように異なっている。ミラーチャージカム３５３とシャッタチャージカム３５５の形状は、第１実施形態のカム領域ａ乃至カム領域ｄおよびカム領域ｇは同一形状をなしている。またシャッタチャージカム３５５のカム領域ｅおよびカム領域ｆは、第２実施形態のカム領域ｈと同一の形状となっている。異なっているのは、第１実施形態のミラーチャージカム３５３の遷移領域であるカム領域ｅと、ライブ領域であるカム領域ｆが、第２実施形態では、ほぼ上死点であるカム領域ｈとなっている点である。
【００７７】
この領域のみが異なっているのは、第１実施形態では、可動ミラー２０１を中央部がハーフミラーになっている反射ミラーで構成しており、ライブビュー領域では可動反射ミラー２０１をレンズ１０１、１０２の光軸から退避させる必要があった。これに対して、第２実施形態では全面がハーフミラーである可動ハーフミラー１２０１を採用したために、ライブビュー領域において、可動ハーフミラー１２０１の透過光を用いることができ、可動ハーフミラー１２０１を退避させる必要がないためである。したがって、スタンバイ領域ｄとライブビュー領域ｈでは、ミラーチャージカム３５３とシャッタチャージカム３５５の形状は同じである。
【００７８】
次に、このように構成されている第２実施形態における撮影動作時の作用について、図１５を用いて説明する。スタンバイ領域（カム領域ｄ）またはライブビュー領域（カム領域ｈ）において、レリーズ釦２１が全押しされ、撮影動作に入ると（図１５のタイミングｔ１１）、ＭＳモータ３０１がオンとなり、ミラーチャージカム３５３とシャッタチャージカム３５５がカム領域ｇに向けて回動する。これによって可動ハーフミラー１２０１はダウン位置からアップ位置に、すなわち撮影光路中に挿入された位置から退避位置に向けて、またシャッタ１２０３はチャージ状態からリセット状態、すなわち開放状態から閉鎖状態に向けて駆動される。また、シャッタ先幕マグネットと後幕マグネットはシャッタ１２０３のシャッタ幕の吸着動作を開始する。
【００７９】
ミラーチャージカム３５３とシャッタチャージカム３５５がカム領域ｇに達すると、ｇ検出がＨレベルからＬレベルに変化する（タイミングｔ１２）。ｇ検出がＬレベルに変化したことが検出されると、ＭＳモータ３０１はその駆動を停止し、タイミングｔ１３にてシャッタ先幕のマグネットによる吸着保持が解除され、シャッタ先幕が走行を開始する。マニュアル設定されたシャッタ速度または露光演算されたシャッタ速度に対応する時間が経過した時点で（タイミングｔ１４）、シャッタ後幕のマグネットによる吸着保持が解除され、シャッタ後幕が走行を開始し、露光秒時の制御を行う。
【００８０】
後幕走行終了するのに充分な時間経過後であるタイミングｔ１５になると、ＣＣＤ２２１から画像信号の読出しを開始する。また、ＭＳモータ３０１の駆動を開始させ、カム領域ｇからカム領域ａに向けて駆動を開始させ、タイミングｔ１６になりカム領域ｂに入ると、ｇ検知がＬレベルからＨレベルに変化し、ＭＳモータ３０１の駆動を停止させる。これは、画像信号の読出しはシャッタ１２０３が閉鎖状態にある間に行うためである。ＣＣＤ２２１から画像信号の読出しが終了すると（タイミングｔ１７）、ＭＳモータ３０１の駆動を再開し、カム領域ｄに入ると（タイミングｔ１８）、ｄ検知がＨレベルからＬレベルに変化し、ＭＳモータ３０１の駆動を停止させる。
【００８１】
このように、ＣＣＤ２２１からの画像信号の読出はタイミングｔ１５からｔ１７の間でなされるが、これは第１実施形態と同様に、領域ｇ、領域ａおよび領域ｂにある間である。これらの領域では、シャッタ１２０３は閉じたままであり、ＣＣＤ２２１上に被写体光束を受けることがないため、ＣＣＤ２２１から読み出される画像信号にノイズが発生するようなことはない。
【００８２】
また、第２実施形態においては、可動ハーフミラー１２０１を用いて測距・測光センサ１２１７とＣＣＤ２２１に被写体光束を導いているので、ＣＣＤ２２１の画像信号に基づいてライブビュー表示を行うと共に、測距・測光センサ１２１７の出力を用いて測距や測光を並行して行うことができ、大変便利である。第１実施形態では、測距を行う際には、ライブビュー領域からスタンバイ領域に駆動しなければならなかったが、第２実施形態においては、ハーフミラーを用いているので、そのような駆動は必要なくなる。
【００８３】
また第２実施形態の撮影動作においては、静止画像を取得する撮像動作の際に可動ハーフミラー１２０１を退避させている。このため可動ハーフミラー１２０１における透過光量の減少をなくし、静止画像取得にあたって被写体光量を増加させることができ、高速シャッタ速度での撮影が可能となる。さらに、撮像動作が終わると、タイミングｔ１５において、可動ハーフミラー１２０１を復帰させているので、撮影後、レリーズ釦２１が再び半押しされたときには、測光や測距をスルー画表示と並行して行うことができる。
【００８４】
以上、第１および第２実施形態においては、ＣＣＤ２２１によって撮像された被写体画像信号の読出しが終了するまでは、シャッタを閉じ状態としているので、読出しにあたってノイズが発生し、画像信号に重畳することにより、画像が見苦しくなるおそれがない。
【００８５】
また、第１および第２実施形態においては、シャッタ２１３、１２０３はチャージ状態で開放されている、いわゆるノーマルオープンシャッタを採用しているので、ライブビュー表示を行うにあたって、シャッタの開放動作が不要となり、ライブビュー表示を簡単に行うことができる。
【００８６】
なお、本発明の第１および第２実施形態では、ミラーチャージカム３５３とシャッタチャージカム３５５の２つのカムを採用していたが、これに限らず、例えば、１つのカムで領域をミラーチャージ用とシャッタチャージ用に分けるようにしても良い。また、カム面の代わりにカム孔を使用するようにしても勿論構わない。
【００８７】
また、本発明の第１および第２実施形態では、撮像素子はＣＣＤ２２１の一つであったが、複数の撮像素子の出力を切り換えてライブビュー表示するようなカメラであっても適用できることは勿論である。さらに、可動反射ミラー２０１はファインダ光学系と撮像素子に光路を切り換えていたが、これに限らず、例えば、画像記録用の撮像素子と被写体像観察用の撮像素子とに切り換えるように構成しても勿論、本発明を適用することができる。
【００８８】
本発明の第１および第２実施形態においては、本発明を一般的なデジタルカメラに適用したものであったが、これに限らず、携帯等の各種装置内のデジタルカメラでもよく、また顕微鏡、双眼鏡等の各種装置に取り付けられる専用デジタルカメラにも適用できることは勿論である。撮影対象をモニタ装置にライブビュー表示するデジタルカメラであれば、本発明を適用することができる。
【図面の簡単な説明】
【００８９】
【図１】本発明の第１実施形態に係わるデジタル一眼レフカメラの内部機構の概略構成を示すブロック図であり、（Ａ）は撮影レンズの光軸方向に沿った内部構成を、（Ｂ）はカメラ本体２００の正面方向からみた内部構成を示すブロック図である。
【図２】本発明の第１実施形態に係わるデジタル一眼レフカメラのシャッタと可動反射ミラーを示す図であって、（Ａ）はシャッタの斜視図であり、（Ｂ）はシャッタの正面図、（Ｃ）は可動反射ミラーの斜視図、（Ｄ）は可動反射ミラーのミラーダウン状態を示し、（Ｅ）は可動反射ミラーのミラーアップ状態を示す図である。
【図３】本発明の第１実施形態に係わるデジタル一眼レフカメラのシャッタ・ミラー駆動ユニットの部分詳細図である。
【図４】本発明の第１実施形態に係わるデジタル一眼レフカメラのカムの領域を示す図であって、（Ａ）はミラーチャージカム、（Ｂ）はシャッタチャージカムのカム領域をそれぞれ示す図である。
【図５】本発明の第１実施形態に係わるデジタル一眼レフカメラのカム領域の展開図である。
【図６】本発明の第１実施形態に係るデジタル一眼レフカメラの主として電気系の全体構成を示すブロック図である。
【図７】本発明の第１実施形態におけるデジタル一眼レフカメラのパワーオンリセットのフローチャートである。
【図８】本発明の第１実施形態におけるデジタル一眼レフカメラのライブビュー表示のフローチャートである。
【図９】本発明の第１実施形態におけるデジタル一眼レフカメラのライブビュー初期設定のフローチャートである。
【図１０】本発明の第１実施形態におけるデジタル一眼レフカメラの撮影動作のフローチャートである。
【図１１】本発明の第１実施形態におけるデジタル一眼レフカメラの撮影時のタイムチャートである。
【図１２】本発明の第２実施形態に係るデジタル一眼レフカメラの主として電気系の全体構成を示すブロック図である。
【図１３】本発明の第２実施形態に係わるデジタル一眼レフカメラのカム領域の展開図である。
【図１４】本発明の第２実施形態に係わるデジタル一眼レフカメラのカムの領域を示す図であって、（Ａ）はミラーチャージカム、（Ｂ）はシャッタチャージカムのカム領域をそれぞれ示す図である。
【図１５】本発明の第２実施形態におけるデジタル一眼レフカメラの撮影時のタイムチャートである。
【符号の説明】
【００９０】
２１  レリーズ釦
２６  液晶モニタ（背面液晶モニタ）
２９  ファインダ内液晶モニタ
３３  ファインダ
１００  レンズ鏡筒
２００  カメラ本体
２０１  可動反射ミラー
２０３  サブミラー
２１３  フォーカルプレーンシャッタ
２１３ｂ  シャッタセットレバー
２２１  ＣＣＤ
２２９  ボディＣＰＵ
２７９  ファインダ内ＣＣＤ
２２７  画像処理回路
２８５  ＣＣＤ切換回路
３０１  ＭＳモータ
３０３  シャッタ・ミラー駆動ユニット
３４１  ミラー駆動レバー
３５３  ミラーチャージカム
３５５  シャッタチャージカム
３５７  カムギア
３６１  シャッタチャージレバー
１２０１  可動ハーフミラー
１２０３  フォーカルプレシャッタ
【図１】
2008042406.tif 000003
【図２】
2008042406.tif 000004
【図３】
2008042406.tif 000005
【図４】
2008042406.tif 000006
【図１４】
2008042406.tif 000007
【図５】
2008042406.tif 000008
【図６】
2008042406.tif 000009
【図７】
2008042406.tif 000010
【図８】
2008042406.tif 000011
【図９】
2008042406.tif 000012
【図１０】
2008042406.tif 000013
【図１１】
2008042406.tif 000014
【図１２】
2008042406.tif 000015
【図１３】
2008042406.tif 000016
【図１５】
2008042406.tif 000017